(57)【要約】【課題】  車両側でのハウジングの取り付け作業を簡素化することが可能な表示装置を提供する。【解決手段】  ハウジング２２の周囲に延設される第１，第２の延長部４１，４２と、第２の延長部４２に載置される板状部材６０とを備え、第１の延長部４１はハウジング２２の車両１０への取付位置を想定した治具Ｇの第１の位置決め部５１が嵌合する嵌合部４１ｂを有し、第２の延長部４２は治具Ｇの第２の位置決め部５２が遊挿する遊挿部４２ｂを有し、板状部材６０は第２の位置決め部５２により位置決めされる被位置決め部６１を有する。そして、第１の位置決め部５１を嵌合部４１ｂに嵌合させるとともに遊挿部４２ｂを遊挿する第２の位置決め部５２を被位置決め部６１に位置決めした状態で、ハウジング２２を板状部材６０の板面方向に沿い回転させることで、被位置決め部６１を表示像Ｖの表示位置が適正位置となるような位置に配設可能な構成とした。【選択図】図３
2008149931.tif 000002
【特許請求の範囲】
【請求項１】
表示手段から発せられる表示光を車両のフロントガラスあるいは反射部材に照射し、この照射によって得られた表示像を前記車両の利用者に視認させる表示装置であって、
前記表示手段を収納するハウジングと、前記ハウジングの周囲に延設される第１，第２の延長部と、前記第２の延長部に配設される板状部材とを備え、
前記第１の延長部は、前記ハウジングの前記車両への取付位置を想定した治具に設けられる第１の位置決め部が嵌合する嵌合部を有し、
前記第２の延長部は、前記治具に設けられる第２の位置決め部が遊挿する遊挿部を有し、
前記板状部材は、前記遊挿部に連通するともに前記第２の位置決め部により位置決めされる被位置決め部を有し、
前記第１の位置決め部を前記嵌合部に嵌合させるとともに前記遊挿部を遊挿する前記第２の位置決め部を前記被位置決め部に位置決めした状態で、前記第１の位置決め部と前記嵌合部との嵌合部分を略中心として前記ハウジングを前記板状部材の板面方向に沿い回転させることで、前記被位置決め部を前記表示像の表示位置が適正位置となるような位置に配設可能な構成としたことを特徴とする表示装置。
【請求項２】
前記被位置決め部は、前記第２の位置決め部が貫通する貫通孔部からなることを特徴とする請求項１記載の表示装置。
【請求項３】
前記板状部材は、金属材料により形成されてなることを特徴とする請求項１記載の表示装置。
【発明の詳細な説明】
【技術分野】
【０００１】
本発明は、表示手段（表示器）から発せられる表示光を車両のフロントガラスもしくは専用の反射部材に照射し、この照射によって得られた表示像を車両の利用者に視認させる表示装置に関するものである。
【背景技術】
【０００２】
従来、この種の表示装置にあっては、例えば表示器が発した表示光を反射させて虚像を表示するヘッドアップデスプレイ装置に用いられるものが知られている（例えば下記特許文献１参照）。この特許文献１に記載のヘッドアップデスプレイ装置は、車両のダッシュボードにおけるインストルメントパネル（以下、インパネと言う）内部に取り付けられた表示装置が照射（投射）する前記表示光を前記車両のフロントガラス等で利用者の方向に反射させ、前記利用者に前記虚像（表示像）を視認させるものである。なお、前記ヘッドアップデスプレイ装置は、前記表示光の照射する部分が、前記インパネの開口部に対応するように前記インパネに取り付けられる。
【特許文献１】特開平１１−３１００５５号公報
【０００３】
かかるヘッドアップディスプレイ装置を前記インパネに取り付けるにあたっては、例えば前記インパネの背面（底面）側を上にした状態で、前記インパネの上方から前記ヘッドアップディスプレイ装置を装着する（この際、前記ヘッドアップディスプレイ装置における前記表示光の照射する部分が前記インパネの開口部側に位置するように装着する）構成が採用されていた。
【０００４】
具体的には、インパネを背面側から見た図である図５に示すように前記ヘッドアップディスプレイ装置の外観部材を構成するハウジング１００の外周側方には、略平板状の３つのフランジ部（延長部）１０１が適宜箇所に形成され、さらに、これら３つのフランジ部１０１に略円弧形状の貫通孔状の長孔１０２が個々に設けられている。なお、図５中、１００ａは、ハウジング１００の底面部であることは言うまでもない。
【０００５】
一方、インパネ１０３側には、３つの長孔１０２に対応する位置に３つのネジ螺合部１０４が形成されており、各長孔１０２における所定位置と各ネジ螺合部１０４とがそれぞれ連通するように両者を位置合わせした後、長孔１０２を貫通する固定部材であるネジ１０５をネジ螺合部１０４に各々螺合させることで、ハウジング１００（前記ヘッドアップディスプレイ装置）とインパネ１０３とが固定される。このように前記ヘッドアップディスプレイ装置の装着されたインパネ１０３は、前記底面とは反対側（前記表示光が照射される前記インパネの開口部）を上側にした状態で前記車両に搭載される。
【発明の開示】
【発明が解決しようとする課題】
【０００６】
ところで、前記ヘッドアップディスプレイ装置を前記車両に搭載後、前記表示光を前記車両のフロントガラスに照射させた際に、前記表示光が、前記車両のフロントガラスの適正位置に照射されない（つまり、前記表示像の表示位置が適正位置とはならずに、例えば前記適正位置から横方向に若干ずれてしまう）場合がある。この場合には、ドライバー等の工具を用いて、ネジ１０５の長孔１０２に対する位置を微調整して、前記フロントガラスへの前記表示光の投射位置（前記表示像の表示位置）が適正位置となるように設定すればよい。
【０００７】
前記ドライバーを用いてネジ１０５の長孔１０２に対する位置を微調整するには、前記ドライバーをインパネ１０３の底面側からインパネ１０３内部に挿入し、前記ドライバーの十字先端部とネジ１０５のネジ頂部（十字溝）とを噛み合わせ、その後、ネジ１０５のネジ螺合部１０４に対する螺合度合いを緩めて、ネジ１０５の長孔１０２に対する位置（インパネ１０３に対する前記ヘッドアップディスプレイ装置の位置）を微調整し、前記表示像の表示位置が適正位置となっているのを確認してから、再度、長孔１０２を貫通するネジ１０５をネジ螺合部１０４にそれぞれ螺合させる必要がある。
【０００８】
しかしながら、前記ヘッドアップディスプレイ装置の周囲は、エアコン用通風ダクト等をはじめとする各種部材でインパネ１０３内部の空きスペースが占有されているため、上述したような前記ドライバーをインパネ１０３内部に挿入して、ネジ１０５の長孔１０２に対する位置を微調整する（すなわち、ハウジング１００のインパネ１０３に対する取付位置を微調整する）という調整作業は極めて困難であり、インパネ１０３（前記車両）側でのハウジング１００の取り付け作業簡素化が望まれていた。
そこで本発明は、前述の課題に対して対処するため、車両側でのハウジングの取り付け作業を簡素化することが可能な表示装置の提供を目的とするものである。
【課題を解決するための手段】
【０００９】
本発明は、表示手段から発せられる表示光を車両のフロントガラスあるいは反射部材に照射し、この照射によって得られた表示像を前記車両の利用者に視認させる表示装置であって、前記表示手段を収納するハウジングと、前記ハウジングの周囲に延設される第１，第２の延長部と、前記第２の延長部に配設される板状部材とを備え、前記第１の延長部は、前記ハウジングの前記車両への取付位置を想定した治具に設けられる第１の位置決め部が嵌合する嵌合部を有し、前記第２の延長部は、前記治具に設けられる第２の位置決め部が遊挿する遊挿部を有し、前記板状部材は、前記遊挿部に連通するともに前記第２の位置決め部により位置決めされる被位置決め部を有し、前記第１の位置決め部を前記嵌合部に嵌合させるとともに前記遊挿部を遊挿する前記第２の位置決め部を前記被位置決め部に位置決めした状態で、前記第１の位置決め部と前記嵌合部との嵌合部分を略中心として前記ハウジングを前記板状部材の板面方向に沿い回転させることで、前記被位置決め部を前記表示像の表示位置が適正位置となるような位置に配設可能な構成としたことを特徴とする。
【００１０】
また本発明は、前記被位置決め部は、前記第２の位置決め部が貫通する貫通孔部からなることを特徴とする。
【００１１】
また本発明は、前記板状部材は、金属材料により形成されてなることを特徴とする。
【発明の効果】
【００１２】
本発明によれば、初期の目的を達成でき、車両側でのハウジングの取り付け作業を簡素化することが可能な表示装置を提供できる。
【発明を実施するための最良の形態】
【００１３】
以下、本発明の実施形態をヘッドアップディスプレイ装置に適用したものを例に挙げて、添付図面に基づいて説明する。
【００１４】
ヘッドアップディスプレイ装置は、図１に示すように車両１０のインパネ１０ａ内部に配設された表示ユニットである表示装置２０が投射（照射）する表示光Ｌを車両１０のフロントガラス１０ｂで車両１０の運転者（利用者）３０の方向に反射させ、虚像Ｖを表示するものである。換言すれば、ヘッドアップディスプレイ装置は、表示装置２０の後述する表示器から発せられる表示光Ｌをフロントガラス１０ｂに照射し、この照射によって得られた表示像（虚像）Ｖを利用者３０に視認させるものである。これにより利用者３０は、虚像Ｖを風景と重畳させて観察することができる。
【００１５】
表示装置２０は、図２に示すように表示器（表示手段）２１と、ハウジング２２と、凹面鏡２３と、コールドミラー２４とから主に構成される。
【００１６】
表示器２１は、配線基板Ｈに設けられた発光ダイオードからなる光源２１ａと、この光源２１ａからの照明光を透過して表示光Ｌを形成するＴＦＴ型の液晶表示素子２１ｂとから主に構成される。かかる表示器２１は、表示光Ｌの出射側の面が凹面鏡２３に対向するようにしてハウジング２２内に設けられ、表示光Ｌの光軸が凹面鏡２３に交わるような位置や向きにて固定保持される。
【００１７】
また、液晶表示素子２１ｂは、図示しない駆動回路によって表示すべき情報（例えば車両の速度やエンジン回転数）を、数値あるいはバーグラフ等で発光表示する。表示器２１は、可視波長域の光からなる表示光Ｌを出力するもので、例えば赤色光（主に発光波長域６１０〜６４０ｎｍ）を発する光源２１ａを適用することができる。なお、前記表示すべき情報は、車両の速度やエンジン回転数に限らず、あらゆる表示形態を採用できることは言うまでもない。
【００１８】
ハウジング２２は、遮光性の合成樹脂材料からなり、略箱型形状に形成され、その内部に表示器２１や凹面鏡２３，コールドミラー２４等を保持して収納するものであり、コールドミラー２４の配設位置の上部（フロントガラス３０側）が開口する開口部２２ａと、表示器２１や凹面鏡２３，コールドミラー２４等を保持する保持部２２ｂとを備えている。
【００１９】
またハウジング２２には、開口部２２ａを塞ぐように透光性カバー２２ｃが配設される。かかる透光性カバー２２ｃは、透光性の合成樹脂材料（例えばアクリル樹脂）からなり、表示光Ｌをフロントガラス３０側に照射可能とするように開口部２２ａに配設される。なお、保持部２２ｂには、コールドミラー２４の配設位置近傍に孔部からなる放熱部２２ｄが設けられている。
【００２０】
またハウジング２２（保持部２２ｂ）には、表示器２１とコールドミラー２４との間において壁部２２ｅが一体形成され、かかる壁部２２ｅは、ハウジング２２の内面やコールドミラー２４にて乱反射した光、並びに表示器２１への輻射熱が表示器２１に届くのを防止する機能を有している。
【００２１】
凹面鏡２３は、凹面を有するポリカーボネートからなる樹脂基板に反射層２３ａを蒸着形成してなるものであり、この凹面部分が表示器２１並びにコールドミラー２４に対向するようにしてハウジング２２内に保持される。凹面鏡２３は、表示器２１からの表示光Ｌを拡大しつつ、コールドミラー２４側へ反射させるような位置に傾斜状態にて配設される。なお、凹面鏡２３並びに表示器２１は、透光性カバー２２ｃから直接、臨めない位置に保持され、太陽光が直接、当たらない構造となっている。
【００２２】
コールドミラー２４は、傾き角度を調整可能にして保持部２２ｂに保持される。コールドミラー２４は、反射面２４ａが凹面鏡２３並びに透光性カバー２２ｃに対向し、透光性カバー２２ｃから臨める位置に設けられる。また、コールドミラー２４は、凹面鏡２３によって拡大された表示光Ｌを入射し透光性カバー２２ｃを介してフロントガラス３０側へ反射（照射）する位置や大きさのものが設けられる。また、コールドミラー２４は、透明なガラス基板２４ｂの片面（凹面鏡２３との対向面）に膜厚の異なる多層の干渉膜からなる反射層２４ｃが蒸着されてなり、表示器２１の発光波長域を含む可視波長域（４５０〜７５０ｎｍ）の光を高い反射率（例えば８０％以上）で反射し、前記可視波長域以外の光を低い反射率で反射するものである。
【００２３】
この場合、コールドミラー２４は、前記可視波長域以外の特に赤外波長域の光（赤外線）を低い反射率（例えば１５％以下）にて反射するものが適用される。なお、反射層２４ｃにて反射されない光は、コールドミラー２４を透過するように構成される。以上の各部により表示装置２０が構成される。
【００２４】
図３は、表示像Ｖの表示位置が適正位置となるように、治具Ｇを用いてハウジング２２の位置調整（つまり、後述する被位置決め部の位置調整）を行うための概略図を示している。図３中、４１，４２，４３は、ハウジング２２の周囲に延設された第１，第２，第３の延長部である。これら各延長部４１，４２，４３は、ハウジング２２の外周側方に延在する略矩形平板状のフランジ部（耳部）からなり、ハウジング２２と一体的に形成されている。
【００２５】
また本実施形態の場合、第１の延長部４１は、図２中、ハウジング２２における第１側面Ｐ１の略中央上方箇所に位置し、第２の延長部４２は、ハウジング２２における第２側面Ｐ２の略中央上方箇所に位置し、第３の延長部４３は、ハウジング２２における第３側面Ｐ３の略中央上方箇所に位置している。さらに第１の延長部４１の第１の前面部４１ａと第２の延長部４２の第２の前面部４２ａと第３の延長部４３の第３の前面部４３ａとは、同一面上に位置しているものとする。
【００２６】
また第１の延長部４１の略中央部には、後述する治具の第１の位置決め部が嵌挿（嵌合）する略円形状の貫通孔からなる嵌合部４１ｂが形成されている。そして、第２の延長部４２は、後述する治具の第２の位置決め部が遊挿する略長孔形状からなる遊挿部４２ｂと、この遊挿部４２ｂよりも第２側面Ｐ２側に位置し、２つのネジＳが各々螺合する一対の螺合部４２ｃとを備えている。さらに第３の延長部４３の略中央部には、後述する治具の第３の位置決め部が挿通する略長孔形状からなる挿通部４３ｂが形成されている。
【００２７】
なお、略長孔形状からなる遊挿部４２ｂは、第２側面Ｐ２の長手方向に沿うように開口形成され、略長孔形状からなる挿通部４３ｂは、第３側面Ｐ３の長手方向に沿うように略円弧状に開口形成される。このことは、遊挿部４２ｂの開口形状は、第２側面Ｐ２の長手方向に沿う方向が幅広く開口形成された長孔部であることを意味しており、挿通部４３ｂの開口形状は、第３側面Ｐ３の長手方向に沿う方向が幅広く開口形成された長孔部であることを意味している。
【００２８】
一方、治具Ｇは、第１の延長部４１を支持する略直方体形状の第１支持体Ｇ１と、第２の延長部４２を支持する略直方体形状の第２支持体Ｇ２と、第３の延長部４３を支持する略直方体形状の第３支持体Ｇ３とからなる。
【００２９】
第１の支持体Ｇ１の先端側には、第１の延長部４１の嵌合部４１ｂに嵌合する略円柱形状の位置決めピンからなる第１の位置決め部５１が突出形成されている。また第２の支持体Ｇ２の先端側には、第２の延長部４２の遊挿部４２ｂに遊挿するとともに、前記被位置決め部を位置決めしてなる略円柱形状の位置決めピンからなる第２の位置決め部５２が突出形成されている。そして、第３の支持体Ｇ３の先端側には、第３の延長部４３の挿通部４３ｂに挿通する略円柱形状の突出部５３が突出形成されている。
【００３０】
なお、これら第１，第２の位置決め部５１，５２並びに突出部５３は、ハウジング２２の車両１０（インパネ１０ａ）への取付位置を想定（考慮）して設けられているものとする（詳細図示は省略）。すなわち、第１，第２の位置決め部５１，５２並びに突出部５３は、インパネ１０ａに設けられる図示しない３つのネジ螺合部の配設位置に対応してそれぞれ形成されているものとする。
【００３１】
また、６０は、ハウジング２２における第２の延長部４２上に配設（載置）される板状部材であり、この板状部材６０は、金属材料にて形成された薄板状の金属板からなり、その外形形状は第２の延長部４２の外形形状よりも若干、小さ目に構成されている。
【００３２】
かかる板状部材６０は、第２の延長部４２の遊挿部４２ｂ並びに治具Ｇの第２の位置決め部５２に対応して開口形成され、第２の位置決め部５２により位置決め固定される略円形状の貫通孔部からなる被位置決め部６１を有している。このことは、第２の位置決め部５２が、遊挿部４２ｂに遊挿され、且つ、第２の位置決め部５２の先端側が、遊挿部４２ｂに連通する貫通孔部（被位置決め部）６１を貫通することにより、第２の位置決め部５２と貫通孔部６１とが係合固定されることを意味している。
【００３３】
また、本実施形態の場合、治具Ｇの第１の位置決め部５１を第１の延長部４１の嵌合部４１ｂに嵌合させるとともに、遊挿部４２を遊挿する治具Ｇの第２の位置決め部５２を板状部材６０の被位置決め部６１に位置決め固定し、加えて治具Ｇの突出部５３を第３の延長部４３の挿通部４３ｂに挿通させた状態において、ハウジング２２が、第１の位置決め部５１と嵌合部４１ｂとの嵌合部分（後述する中心軸）を略中心として、各前面部４１ａ〜４３ａの形成される方向である板状部材６０の板面方向（図３中、矢印Ｄ方向や矢印Ｅ方向）に沿い回転可能な構成となっている。
【００３４】
そして、このようにハウジング２２を矢印Ｄ方向や矢印Ｅ方向に沿い回転させることで、被位置決め部６１を表示像Ｖの表示位置が適正位置となるような位置に配設可能な構成としている。このことは、表示像Ｖの表示位置が適正位置となるように、ハウジング２２に対する被位置決め部６１の配設位置が定められることを意味している。なお、この場合、ハウジング２２は、第１の位置決め部５１の長手方向における中心軸Ｃを略中心として回転可能に構成されている。
【００３５】
なお、６２は、ハウジング２２の回転に応じて、遊挿部４２内を移動可能な第２の位置決め部５２の配設位置を考慮して設けられた略長孔形状の一対の貫通部である。かかる一対の貫通部６２は、被位置決め部６１に隣接するように配設され、ハウジング２２の回転により第２の位置決め部５２が遊挿部４２内を移動したとしても、第２の延長部４２における一対の螺合部４２ｃにそれぞれ連通するように構成されている。なお、矢印Ｄ方向や矢印Ｅ方向におけるハウジング２２の回転に応じて、第３の支持体Ｇ３の突出部５３が、第３の延長部４３の挿通部４３ｂ内を移動可能であることは言うまでもない。
【００３６】
また、一対の貫通部６２の開口形状は、遊挿部４２ｂの開口形状と略平行となるように設けられている。つまり、各貫通部６２の開口幅は、第２側面Ｐ２の長手方向に沿う方向が幅広く開口形成されているものとする。
【００３７】
そして、表示装置２０の車両１０（インパネ１０ａ）への取付位置を想定した治具Ｇの各位置決め部５１，５２を用いて、表示像Ｖの表示位置が適正位置となるようにハウジング２２の配設位置を定める（つまり、ハウジング２２に対する被位置決め部６１の配設位置を定める）場合には、まず、第１の位置決め部５１を嵌合部４１ｂに嵌合させるとともに、遊挿部４２を遊挿する第２の位置決め部５２を被位置決め部６１に位置決め固定し、これと同時に突出部５３を挿通部４３ｂに挿通させる。
【００３８】
次に、ハウジング２２が治具Ｇ上に位置決め配設された状態で、中心軸Ｃを中心としてハウジング２２を、表示像Ｖの表示位置が適正位置となるように、矢印Ｄ方向または矢印Ｅ方向に所定角度だけ回転させる。この際、ハウジング２２の回転移動により、回転移動する遊挿部４２ｂ内を被位置決め部６１を位置決めしてなる第２の位置決め部５２が移動し、回転移動する挿通部４３ｂ内を突出部５３が移動する。このように第２の位置決め部５２が、遊挿部４２ｂ内を移動することで、ハウジング２２に対する被位置決め部６１の配設位置が移動（変動）する。なお、遊挿部４２ｂの回転移動に応じて、一対の螺合部４２ｃに対する一対の貫通部６２の配設位置が移動（変動）することは言うまでもない。
【００３９】
次に、上述のようにハウジング２２を回転させて表示像Ｖの表示位置が適正位置となったとき、固定部材である一対のネジＳを一対の貫通部６２に各々貫通させ、各貫通部６２を貫通する各ネジＳの端部（ネジ山）を各螺合部４２ｃにそれぞれ螺合させることで、第２の延長部４２上に載置される板状部材６０の配設位置が定まる（図４参照）。このように板状部材６０の配設位置が定まることに伴い、ハウジング２２に対する被位置決め部６１の配設位置も同時に定まることになる。
【００４０】
最後に、ハウジング２２を治具Ｇから取り外して、かかるハウジング２２（表示装置２０）をインパネ１０ａ（車両１０側）にネジで固定する。この際、ハウジング２２の透光性カバー２２ｃが、インパネ１０ａの開口（フロントパネル１０ｂ側）に臨むようにハウジング２２がインパネ１０ａにネジで固定される（詳細図示は省略）。なお、インパネ１０ａには、例えば嵌合部４１ｂに対応する図示しない第１のネジ螺合部、被位置決め部６１に対応する図示しない第２のネジ螺合部並びに挿通部４３ｂに対応する図示しない第３のネジ螺合部が形成されている。
【００４１】
従って、治具Ｇから取り外したハウジング２２は、嵌合部４１ｂと前記第１のネジ螺合部、被位置決め部６１と前記第２のネジ螺合部並びに挿通部４３ｂと前記第３のネジ螺合部とを位置合わせし、ハウジング２２固定用の３つの固定ネジ（図示せず）を前記各ネジ螺合部にそれぞれ螺合させることで、ハウジング２２（表示装置２０）のインパネ１０ａ（車両１０側）への取付固定作業が完了する。
【００４２】
このことは、前記固定ネジの１つが、嵌合部４１ｂを貫通して前記第１のネジ螺合部に螺合され、他の固定ネジの１つが、被位置決め部６１を貫通して前記第２のネジ螺合部に螺合され、さらに他の固定ネジの１つが、挿通部４３ｂを貫通して前記第３のネジ螺合部に螺合されることで、ハウジング２２がインパネ１０ａに取付固定されることを意味している。
【００４３】
本実施形態の場合、特に、表示像Ｖの表示位置が適正位置となるように配設位置の定められた被位置決め部６１と、ハウジング２２の回転基準位置に対応して配設されていた嵌合部４１ｂとを基準位置として、前もって表示像Ｖの表示位置が適正位置となっている状態のハウジング２２（表示装置２０）をインパネ１０ａ（車両１０側）に取付固定することが可能となる。すなわち、ハウジング２２を車両１０側に取付固定したときには、既に表示像Ｖの表示位置が適正位置に設定されているため、従来のように車両１０側にハウジング２２を取付固定した後、ハウジング２２を回転させて表示像Ｖの位置調整を行うという作業が不要となり、これにより車両１０側でのハウジング２２の取り付け作業を簡素化することができる。
【００４４】
また本実施形態では、被位置決め部６１は、治具Ｇの第２の位置決め部５２が貫通する貫通孔部からなることにより、ハウジング２２を車両１０に組付ける前に、表示像Ｖの表示位置が適正位置となっている状態を、位置決めピン（第２の位置決め部５２）を位置決め孔部（被位置決め部６１）に貫通させるという簡素な構成で認識することが可能となる。
【００４５】
また本実施形態では、板状部材６０が、強度を有する金属材料により形成されてなることにより、ともに貫通孔からなる被位置決め部６１や貫通部６２の破損を防止できるというメリットがある。なお、板状部材６０は、金属材料に限らず、例えば強度を有する合成樹脂材料により形成してもよい。
【００４６】
なお本実施形態では、表示器２１から発せられる表示光Ｌが、フロントガラス１０ｂに照射される例について説明したが、例えばフロントガラス１０ｂに表示光Ｌを良好に利用者３０方向に反射させるコンバイナフィルムを設けてもよいし、あるいはフロントガラス１０ｂとは別の専用の反射部材に表示光Ｌを照射する構成としてもよい。
【図面の簡単な説明】
【００４７】
【図１】本発明の実施形態によるヘッドアップディスプレイ装置の概略図である。
【図２】同実施形態による表示装置の断面図である。
【図３】同実施形態による表示装置と治具を示す斜視図である。
【図４】同実施形態によるハウジングに板状部材が固定された状態を示す正面図である。
【図５】従来技術によるヘッドアップディスプレイ装置をインパネに固定した状態を示す図である。
【符号の説明】
【００４８】
１０    車両
１０ａ  インパネ
１０ｂ  フロントガラス
２０    表示装置
２１    表示手段（表示器）
２２    ハウジング
３０    利用者（運転者）
４１    第１の延長部
４１ｂ  嵌合部
４２    第２の延長部
４２ｂ  遊挿部
５１    第１の位置決め部
５２    第２の位置決め部
６０    板状部材
６１    被位置決め部
６２    貫通部
Ｇ    治具
Ｌ    表示光
Ｖ    虚像（表示像）
【図１】
2008149931.tif 000003
【図２】
2008149931.tif 000004
【図３】
2008149931.tif 000005
【図４】
2008149931.tif 000006
【図５】
2008149931.tif 000007